(57)【要約】【課題】検体サンプルに結合した電気化学発光物質を効率よく発光させ、高感度に検体サンプルを検出することのできる生体サンプル分析方法を提供する。【解決手段】電気化学発光物質が修飾されたプローブと検体サンプルとからなる結合体を測定電極上に配し、１〜１００ｎｍの粒径を持つ金コロイドを電解液中への添加濃度が波長５２０ｎｍの光学的濃度で０．１〜０．５になるようにジチオール化合物とともに電解液を測定電極に滴下した後に測定電極に電圧を印加して結合体の発光を測定することにより高感度に検体サンプルを検出する。【選択図】なし【特許請求の範囲】
【請求項１】
電気化学発光物質が修飾されたプローブと検体サンプルとからなる結合体を測定電極上に配し、金コロイドとジチオール化合物を含む電解液を前記測定電極に滴下した後に前記測定電極に電圧を印加して前記結合体の発光を測定する生体サンプル分析方法。
【請求項２】
前記電解液に対する前記金コロイドの光学的濃度値（波長５２０ｎｍ）は０．１〜０．５とする請求項１に記載の生体サンプル分析方法。
【請求項３】
前記金コロイドの粒径は１〜１００ｎｍとする請求項１に記載の生体サンプル分析方法。
【請求項４】
前記電解液に対する前記ジチオール化合物の体積比は０．００１〜０．０１％とする請求項１に記載の生体サンプル分析方法。
【請求項５】
前記電解液は、トリエチルアミンを主成分とする緩衝液からなる溶液とする請求項１に記載の生体サンプル分析方法。
【請求項６】
前記電気化学発光物質は、ルテニウム錯体である請求項１に記載の生体サンプル分析方法。
【発明の詳細な説明】
【技術分野】
【０００１】
本発明は、検体サンプルを検出するための生体サンプル分析方法に関し、電気化学発光物質が電気化学発光を行う際に金コロイドとジチオール化合物を添加することで電気化学発光物質を効率よく発光させ、高感度に検体サンプルを検出する技術に関する。
【背景技術】
【０００２】
従来、目的遺伝子を検出する手法として吸光法や蛍光法や用いられてきたが、近年の微量サンプルでも高感度に検出したいという要望の中で、電気化学反応中に発光反応を有する電気化学発光反応を利用した測定が用いられてきている。この電気化学発光反応を用いた遺伝子検出方法は、吸光法や蛍光法を行う際には必要になる励起光源が不要なことからバックグラウンド光が低減でき、高感度な測定が可能である。
【０００３】
電気化学発光反応は電極に電位を与えることで生じた電極界面の溶液の電位勾配中において起こる。この反応場は電気２重層と呼ばれ、電気２重層内では溶液内のイオンが電極への吸着と拡散を繰り返しており、この中で酸化や還元反応に係る電子のやりとりが行われる。電気化学発光物質はこれらの酸化や還元反応の途中で励起され、この励起状態から基底状態に戻る際に発光反応を起こす。
【０００４】
電気化学反応を用いて目的遺伝子を検出する方法は以下の通りである。目的遺伝子と相補な配列を有する第一のプローブ核酸と、電気化学発光物質を標識した第二のプローブ核酸をそれぞれ目的遺伝子にハイブリダイゼーション反応を起こさせることで選択的に目的遺伝子をプローブ核酸に捕捉させる。第１のプローブ核酸には磁気ビーズが結合できるように末端に磁気ビーズへの結合物質を修飾しておく。磁気ビーズをＢ／Ｆ（Ｂｏｕｎｄ／Ｆｒｅｅ）分離とよばれる洗浄を行うことで、非目的遺伝子や余分な物質等の非目的試料を除去した後、電気化学発光物質を発光させる。この発光量を測定することで、目的遺伝子を検出することができる。（例えば特許文献１参照）。
【特許文献１】特開２００２−３４５６１号公報
【発明の開示】
【発明が解決しようとする課題】
【０００５】
微量なサンプルを測定する場合は、サンプルに捕捉された電気化学発光物質を効率よく発光させることが重要である。しかしながら、電気２重層の厚みは電位勾配が生じている領域であるために電極表面から２〜３ｎｍと薄く、この電気２重層の厚みにより電気化学発光反応が制限されている。このため、多数の電気化学発光物質を有するサンプルでは電気化学発光物質が電気２重層外に留まってしまい、効率よく発光できないという課題を有していた。
【０００６】
本発明は、前記従来の課題を解決するもので、電気２重層の領域を改善して発光に関与し得る電気化学発光物質を増やすことで検出感度を高めることのできる生体サンプル分析方法を提供することを目的とする。
【課題を解決するための手段】
【０００７】
前記従来の課題を解決するために、本発明の生体サンプル分析方法は、電気化学発光物質が修飾されたプローブと検体サンプルとからなる結合体を測定電極上に配し、金コロイドとジチオール化合物を含む電解液を前記測定電極に滴下した後に前記測定電極に電圧を印加して前記結合体の発光を測定することを特徴としたものである。
【発明の効果】
【０００８】
本発明の生体サンプル分析方法によれば、電解液中の電気２重層の領域を広げることにより電気化学発光物質を効率よく発光させることができ、これにより高感度に検体サンプルを検出することができる。
【発明を実施するための最良の形態】
【０００９】
以下に、本発明の生体サンプル分析方法の実施の形態を詳細に説明する。
【００１０】
（実施の形態１）
まず、検体から遺伝子サンプルを抽出する前処理を行う。痰、血液、糞便、精液、唾液、培養細胞、組織細胞、その他遺伝子を有する検体から超音波、振とうなどの物理手段、核酸抽出溶液を用いる化学的手段を用いて必要試料を抽出する。
【００１１】
試料中の細胞の破壊は、常法により行うことができ、例えば、振とう、超音波等の物理的作用を外部から加えて行うことができる。また、核酸抽出溶液（例えば、ＳＤＳ、Ｔｒｉｔｏｎ−Ｘ、Ｔｗｅｅｎ−２０等の界面活性剤、又はサポニン、ＥＤＴＡ、プロテア−ゼ等を含む溶液等）を用いて、細胞から核酸を遊離させることもできる。
【００１２】
抽出された長鎖の２本鎖核酸は制限酵素、あるいは超音波などの物理的手段によって任意の長さに切断される。切断された２本鎖核酸は熱処理、あるいはアルカリ変性により１本鎖核酸に分離される。これらの工程により遺伝子サンプルを得る。遺伝子サンプルは、電気泳動による分離等で精製した核酸断片でもよい。
【００１３】
目的遺伝子を捕捉するための第一のプローブ核酸は、検出すべき遺伝子配列に対して相補的な塩基配列を有する１本鎖のプローブ核酸であり、生物試料から抽出した核酸を制限酵素で切断し、電気泳動による分離等で精製した核酸、あるいは化学合成で得られた１本鎖の核酸を用いることができる。生物試料から抽出した核酸の場合には、熱処理あるいはアルカリ処理によって、１本鎖の核酸に解離させておくことが好ましい。
【００１４】
このようにして得られた第一のプローブ核酸を磁気ビーズの表面に固定する。固定化方法としては、公知の方法が用いられる。例えば、磁気ビーズの表面に予めストレプトアビジンをコーティングしておき、ビオチンを標識した第一のプローブ核酸と反応させることでアビジンービオチン結合を行う方法がある。また、マイクロアレイで用いられる公知の結合方法（例えばシランカップリング法）を用いることができる。
【００１５】
本発明で用いる磁気ビーズは特に限定されるものではなく、使用可能な磁気ビーズとしては、例えば酸化鉄系ビーズが挙げられる。磁気ビーズを収集するための磁力源は永久磁石であろうと、電磁石であろうと磁力で吸引される位置に配置される。より好適には強磁場を生じる永久磁石が好ましい。
【００１６】
上記で得られた、プローブ核酸が固定された磁気ビーズを、目的遺伝子を含む溶液に接触させることにより、プローブ核酸と相補的な配列を有する目的遺伝子がハイブリダイゼーション反応を起こし、２本鎖核酸が形成されるが、ハイブリダイズさせる方法は公知の方法を使用すれば良いので説明を省略する。
【００１７】
目的遺伝子に相補な配列を有する第二のプローブ核酸には予め電気化学発光物質を修飾させておく。電気化学発光物質を第二のプローブ核酸に結合させる方法は末端に修飾させる方法や核酸の任意の箇所に化学的に結合させる方法がある。あるいは第二のプローブ核酸を用いずに直接目的遺伝子に結合させる方法や、挿入性の電気化学発光物質を用いて目的遺伝子と第一のプローブ核酸とが形成した２本鎖核酸に選択的に挿入させることも適応可能である。
【００１８】
電気化学発光物質は電気化学発光活性を有する物質であり、電気化学発光的に検出可能な物質であれば限定されるものではない。例えば、金属錯体を挙げることができ、特に、中心金属がルテニウムである錯体は良好な電気化学発光特性を有する。このような良好な電気化学発光特性を有する物質としては、例えば、ルテニウムビピリジン錯体、ルテニウムフェナントロリン錯体、オスニウムビピリジン錯体、オスニウムフェナントロリン錯体等を挙げることができる。
【００１９】
このようにして得られた測定すべき目的遺伝子と、目的遺伝子の一部と結合する第一のプローブ核酸を持つ磁気ビーズと、目的遺伝子の他の一部と結合する第二のプローブ核酸を持つ電気化学発光物質とが互いに結合してプローブ複合体を形成させる。
【００２０】
磁気ビーズに捕捉されなかった非目的試料や未反応物質はＢ／Ｆ分離により洗浄される。Ｂ／Ｆ分離は磁気ビーズを用いた場合、外部磁場により磁気ビーズを溶液内に保持することで余分な溶液を除去する。このＢ／Ｆ分離によって、磁気ビーズに固定された目的遺伝子および目的遺伝子に結合した電気化学発光物質を選択的に得ることができる。外部磁場は前述の方法で与えられる。
【００２１】
Ｂ／Ｆ分離は液体を保持するマイクロウェル等の容器内で行われ、特に、洗浄工程が容易な流路中で行うことも可能である。流路はフローセルやキャピラリー管、マイクロ流路等が適応可能である。
【００２２】
このようにして得られた電気化学発光物質を電極の作用極上に滴下し、電解液中で電圧を印加することで発光させる。電解液は還元剤であるトリエチルアミンと緩衝液であるリン酸バッファーからなる。還元剤はトリエチルアミンの他にトリプロピルアミンやシュウ酸等が適応可能である。この電解液に金コロイドが添加される。金コロイドの粒径は１〜１００ｎｍが選択され、電解液中への添加は波長５２０ｎｍの光学的濃度で０．１〜０．５が好ましい。
【００２３】
さらに電解液にはジチオール化合物が添加される。ジチオール化合物としては、１，２−Ｅｔｈａｎｅｄｉｔｈｉｏｌ、１，４−Ｂｕｔａｎｅｄｉｔｈｉｏｌ、１，６−Ｈｅｘａｎｅｄｉｔｈｉｏｌ等が適応可能である。金とチオール基はそれぞれ金チオール反応により結合し、ジチオール化合物は両末端にチオール基を有する化合物であることから金コロイド同士がジチオール化合物を介して互いに結合する。これにより金コロイドが凝集及び密集し電子の授受を行うことで電極界面にできた電気２重層が拡張され、その結果電気化学発光物質の反応場が増加し、より多くの発光信号が得られる。電気化学発光物質の量に応じた発光信号は光電子増倍管等の光検出器を用いて計測が可能である。
【００２４】
次に、本発明における生体サンプル分析方法の具体的な実施例を説明する。検出の流れは、工程（１）〜（４）からなる。それぞれの工程は、（１）磁気ビーズへのプローブ核酸の固定、（２）電気化学発光物質が修飾された検出用プローブ核酸の作製、（３）ハイブリダイゼーション反応、（４）電気化学発光測定からなる。各工程の詳細については以下に示す。
【００２５】
（１）磁気ビーズへのプローブ核酸の固定
目的核酸を捕捉するプローブ核酸の担体として、磁気ビーズ（ＢａｎｇｓＬａｂｏｒａｔｏｒｉｅｓ社製；ＣＭ０１Ｎ／５８９６、平均粒径０．３５μｍ）を用いた。この磁気ビーズはビーズ表面にストレプトアビジンがコーティングされている。プローブ核酸には、ＡＡＴＴＴＧＴＴＡＴ  ＧＧＧＴＴＣＣＣＧＧ  ＧＡＡＡＴＡＡＴＣＡの配列を有する５’末端にビオチン基を修飾した３０塩基のオリゴデオキシヌクレオチド（配列表１）を使用した。該プローブ核酸を１０ｍＭのＰＢＳ（ｐＨ７．４のリン酸ナトリウム緩衝液）に溶解させ、１０μＭに調製した。
【００２６】
まず、磁気ビーズを１ｍｇ採取し、ＴＴＬバッファー（終濃度：１００ｍＭ  Ｔｒｉｓ−ＨＣｌ（ｐＨ８．０）、  ０．１％  Ｔｗｅｅｎ２０、  １Ｍ  ＬｉＣｌ）で洗浄後、２０μＬのＴＴＬバッファーに置換した。その後、１００ｎＭのプローブ核酸を５μＬ添加し、室温で１５分穏やかに振とうした。
【００２７】
溶液を除去し、残留した磁気ビーズを０．１５ＭのＮａＯＨで洗浄後、ＴＴバッファー（２５０ｍＭ  Ｔｒｉｓ−ＨＣｌ（ｐＨ８．０）、０．１％  Ｔｗｅｅｎ２０）で洗浄した。
【００２８】
洗浄後、ＴＴＥバッファー（２５０ｍＭ  Ｔｒｉｓ−ＨＣｌ（ｐＨ８．０）、０．１％  Ｔｗｅｅｎ２０、２０ｍＭ  Ｎａ２ＥＤＴＡ（ｐＨ８．０））に溶液を置換し、８０℃で１０分間インキュベートすることにより、不安定なアビジンービオチン結合を除去した。これにより、磁気ビーズ表面にプローブ核酸が固定された磁気ビーズAを得た。
【００２９】
（２）電気化学発光物質が修飾された検出用プローブ核酸の作製
検出用プローブ核酸には、ＴＧＣＴＴＡＣＡＡＴ  ＣＣＴＧＡＴＧＴＴＴ  ＴＣＡＴＴＣＡＡＴＴの配列を有する、５’末端にアミノ基を修飾した３０塩基のオリゴデオキシヌクレオチド（配列表２）を使用した。
【００３０】
前記検出用プローブ核酸に用いる電気化学発光物質は、以下のようにして得る。
【００３１】
まず、テトラヒドロフラン（以下ＴＨＦ）６０．０ｍＬに溶解させた４，４’−ジメチル−２，２’ビピリジン２．５０ｇ（１３．５ｍｍｏｌ）溶液を窒素雰囲気の容器に注入した後、リチウムジイソプロピルアミド２Ｍ溶液１６．９ｍＬ（２７．０ｍｍｏｌ）を滴下し、冷却しながら３０分撹拌させた。一方、同様に窒素気流中で乾燥させた容器に、１，３−ジブロモプロパン４．２ｍＬ（４１．１ｍｍｏｌ）とＴＨＦ１０ｍＬとを加え、冷却しながら撹拌させた。この容器に、先程の反応液を３０分かけて滴下させ、２．５時間反応させた。反応溶液は２Ｎの塩酸で中和し、ＴＨＦを留去した後、クロロホルムで抽出した。溶媒を留去して得た粗生成物をシリカゲルカラムで精製し、生成物Ａを得た。
【００３２】
窒素雰囲気の容器に、前記生成物Ａ１．０ｇ（３．２８ｍｍｏｌ）、フタルイミドカリウム０．６７ｇ（３．６１ｍｍｏｌ）、及びジメチルホルムアミド（脱水）３０．０ｍＬを加え、オイルバスで１８時間還流した。反応後、クロロホルムで抽出し、０．２Ｎ水酸化ナトリウム５０ｍＬで蒸留水洗浄した。溶媒を留去して酢酸エチルとヘキサンから再結晶を行い、生成物Ｂを得た。
【００３３】
塩化ルテニウム（III）（２．９８ｇ、０．０１ｍｏｌ）、及び２，２’−ビピリジン（３．４４ｇ、０．０２２ｍｏｌ）をジメチルホルムアミド（８０．０ｍＬ）中で６時間還流した後、溶媒を留去した。その後、アセトンを加え、一晩冷却することで得られた黒色沈殿物を採取し、エタノール水溶液１７０ｍＬ（エタノール：水＝１：１）を加え１時間加熱還流を行った。ろ過後、塩化リチウムを２０ｇ加え、エタノールを留去し、さらに一晩冷却した。析出した黒色物質は吸引ろ過で採取し、生成物Ｃを得た。
【００３４】
窒素置換した容器に、前記生成物Ｂ０．５０ｇ（１．３５ｍｍｏｌ）、前記生成物Ｃ０．７８ｇ（１．６１ｍｍｏｌ）、及びエタノール５０ｍＬを加えた。９時間窒素雰囲気で還流した後、溶媒を留去し、蒸留水で溶解させ、１．０Ｍの過塩素酸水溶液で沈殿させた。この沈殿物を採取し、メタノールで再結晶を行い、生成物Ｄを得た。
【００３５】
さらに、前記生成物Ｄ１．０ｇ（１．０２ｍｍｏｌ）、及びメタノール７０．０ｍＬを１時間還流した。室温まで冷却した後、ヒドラジン一水和物０．２１ｍＬ（４．２１ｍｍｏｌ）を加え再び１３時間還流した。反応後、蒸留水を１５ｍＬ加え、メタノールを留去した。
【００３６】
次に、濃塩酸を５．０ｍＬ加え、２時間還流して得られた反応液を８時間４度で冷蔵し、不純物を自然ろ過で除去した。
【００３７】
これを炭酸水素ナトリウムで中和した後、水を留去し、無機物をアセトニトリルで除去した。溶媒を留去して得た粗生成物をシリカゲルカラムで精製し、生成物Ｅを得た。
【００３８】
アルミホイルで遮光した容器に、前記生成物Ｅ０．６５ｇ（０．７６ｍｍｏｌ）を加え、アセトニトリル１０ｍＬに溶解させた。次に、トリエチルアミン０．２３ｇ（２．２９ｍｍｏｌ）を加えた後、アセトニトリル２０ｍＬに溶解したグルタル酸無水物０．８７ｇ（７．６２ｍｍｏｌ）を滴下した。
【００３９】
９時間反応後、エバポレーターでアセトニトリルを留去して得た粗生成物を高速液体クロマトグラフィー（ＨＰＬＣ）で精製し、下記式（化１）に示す電気化学発光物質を得た。
【００４０】
【化１】
2009192349.tif 000002
【００４１】
表１は、前述のようにして得た（化１）に示す物質の1Ｈ‐ＮＭＲ結果である。
【００４２】
【表１】
2009192349.tif 000003
【００４３】
このようにして得た（化１）の電気化学発光物質と配列表２のオリゴデオキシヌクレオチドを以下のようにして結合させる。まず、該オリゴデオキシヌクレオチド２８３μｇ（２９．７ｐｍｏｌ）を蒸留水０．２ｍＬに溶解させ、該オリゴデオキシヌクレオチドの溶液に、１ｍＭに調製した（化１）溶液８９μＬ（８９．０ｐｍｏｌ）、Ｎ−ヒドロキシスクシンイミド０．３ｍｇ（２．６μｍｏｌ）、ＷＳＣ５．１ｍｇ（２６．７μｍｏｌ）、０．１Ｍトリエチルアミン０．９μＬ（９０．０ｐｍｏｌ）を添加し、２日間室温で反応させた。ＨＰＬＣで精製後、目的物のフラクションを採取し、溶液を留去して末端に電気化学発光物質が修飾された検出用プローブ核酸を得た。
【００４４】
（３）ハイブリダイゼーション反応
本発明で用いる目的核酸には、ヒト由来ＣｙｔｏｃｈｒｏｍｅＰ−４５０の遺伝子配列の５’−末端より５９９−６９８番目に位置するＡＡＴＴＧＡＡＴＧＡ  ＡＡＡＣＡＴＣＡＧＧ  ＡＴＴＧＴＡＡＧＣＡ  ＣＣＣＣＣＴＧＧＡＴ  ＣＣＡＧＡＴＡＴＧＣ  ＡＡＴＡＡＴＴＴＴＣ  ＣＣＡＣＴＡＴＣＡＴ  ＴＧＡＴＴＡＴＴＴＣ  ＣＣＧＧＧＡＡＣＣＣ  ＡＴＡＡＣＡＡＡＴＴの配列を有する１００塩基のオリゴデオキシヌクレオチド（配列表３）を使用した。
【００４５】
（１）の工程で得られたプローブ核酸が固定された磁気ビーズに２ＸＳＳＣを１４μＬ加え、そこに（２）の工程で作製した５μＭの検出用プローブ核酸と該目的核酸をそれぞれ４μＬ添加し、７０℃で穏やかに振とうさせた。１時間振とうさせた後、溶液を除去し、４０℃に加温した２ＸＳＳＣで洗浄した。洗浄溶液を除去し、さらにＴＴバッファーで洗浄することで、磁気ビーズＡ'を得た。
【００４６】
（４）電気化学発光測定
（３）の工程で得られた磁気ビーズＡ’を１μＬ電極上の作用極上に滴下し、６０度５分で乾燥させた。乾燥後、電解液（０．１Ｍ  ＰＢＳ、  ０．１Ｍ  トリエチルアミン、  ０．００２ｖｏｌ％  １，２−Ｅｔｈａｎｅｄｉｔｈｉｏｌ、金コロイド：光学的濃度値（波長５２０ｎｍ）０．２）を１００μＬ作用極上に滴下し、電圧を印加した。電圧の印加は、０Ｖから１．３Ｖまで１秒間で掃印し、電気化学発光測定を行った。電気化学発光量の測定は、光電子増倍管（浜松ホトニクス製Ｈ７３６０−０１）を用いて行い、電圧印加中におけるルテニウム錯体の最大発光量を測定した。
【００４７】
比較例として、上記電解液で金コロイドと１，２−Ｅｔｈａｎｅｄｉｔｈｉｏｌを含まない電解液（０．１Ｍ  ＰＢＳ、  ０．１Ｍ  トリエチルアミン）で磁気ビーズＡ’の電気化学発光測定を行った。
【００４８】
図１は実施例及び比較例の結果を示している。図１に示すように、実施例において得られた磁気ビーズＡ’からの発光量１６，３４４（ＲＬＵ）と比較例の発光量８，６７５（ＲＬＵ）に対して著しく高い値を示した。これは、本実施例における電解液への金コロイドとジチオール化合物の添加による効果を示している。すなわち、金コロイドとジチオール化合物の添加により電気２重層が拡張され、発光できるルテニウム錯体が向上したものと考えられる。図１の結果により、本発明を用いることで、磁気ビーズ錯体に捕捉されたルテニウム錯体を効率よく発光させることができるので、従来よりもさらに高感度に目的遺伝子の検出が可能となる。
【産業上の利用可能性】
【００４９】
本発明に係る生体サンプル分析方法は、電気化学発光を行う際に金コロイドとジチオール化合物を含む電解液を用いることで高感度に検体サンプルを検出することが可能となる。  このため、高感度測定が必要な一塩基変異多型の検出や細菌検査、ウイルス検査に有用である。
【図面の簡単な説明】
【００５０】
【図１】実施例及び比較例によって得られたルテニウム錯体の最大発光量を示す図
【図１】
2009192349.tif 000004
【配列表】
2009192349000001.app